(57)【特許請求の範囲】
【請求項１】
パチンコ球を使用する遊技機(P)の前側で相当数のパチンコ球を収容して必要時に排出でき、球収容部(30)および球送出口(33)を含む形状に形成された皿本体(21)と、皿の外郭形状に形成された外郭体(20)とを互いに着脱可能に組付けて構成した上球皿(E)の球出口部側に装備された球抜き装置にあって、
上方へ全面開口する開口部(47a)および前記球送出口(33)に対応して後壁に上方に開放して形成した開口(52)を有する本体部材(47)と、該本体部材(47)の開口部(47a)に整合し得る形状に成形されて該開口部(47a)を上方から全面的に覆蓋する蓋部材(48)とからなり、前記皿本体(21)および外郭体(20)の間に着脱可能に取着されるケース体(46)と、
前記本体部材(47)に前後方向に形成した案内リブ(65)に対し、下部に形成した案内溝(66)を上方から嵌合すると共に、前記蓋部材(48)の下面に形成した規制リブ(69)により上方への移動が規制された状態で、前記ケース体(46)に対し前後方向に移動可能に組付けられ、前後方向への移動につれて、前記開口(52)を介して前記ケース体(46)から後方側へ突出した状態および該ケース体(46)に収納された状態となる舌片部(62)で前記球送出口(33)を開閉し得る開閉部材(60)と、
前記開閉部材(60)に一端を連繋すると共に、他端となる連繋片部(73)の端面を円形曲面状に形成し、前記ケース体(46)の内部に傾動可能に支持された作動部材(70)と、
前記外郭体(20)において奥壁を有する円形凹状に形成した挿通部(77)に対し、該挿通部(77)の内周面に外周面を略密着した状態で前方からセットされる押しボタン型の円形状の操作部(81)および前端部を該外郭体(20)の後方から挿通部(77)の挿通孔(78)を介して前記操作部(81)に係着すると共に、後端部に形成した連繋溝(83)を前記作動部材(70)の連繋片部(73)に着脱可能に連繋した軸杆部(82)を有し、該外郭体(20)の外側から指先操作し得る操作部材(80)と、
前記ケース体(46)の内部において前記開閉部材(60)または作動部材(70)あるいは操作部材(80)に付設され、該開閉部材(60)を球送出口(33)の閉鎖方向に付勢保持するばね(68)と、
前記ケース体(46)の内部に設けられ、回路基板(92)に接続された検出素子(93)および前記開閉部材(60)の所定位置に付設されて検出素子(93)で検出される被検出素子(95)を有し、前記球送出口(33)に対する開閉部材(60)の半開きまたは全開の状態にある場合を、検出素子(93)と被検出素子(95)との検出対応位置関係により検出し得る位置検出手段(91)と、
前記蓋部材(48)に形成した設置部(79)に取付けられると共に、前記外郭体(20)のランプレンズ(104)を介して外部から視認可能とされ、前記位置検出手段(91)の回路基板(92)に電気的に接続されて、該位置検出手段(91)の検出信号に基づいて作動して、前記開閉部材(60)の前記開放範囲状態を報知し得る報知手段(100)とを備え、
前記ケース体(46)の前壁に形成された挿入口(53)の左右両側縁から後方へ平行に延在する案内壁(84,84)、前記本体部材(47)の底面において前後方向へ延在するリブ(85)および前記蓋部材(48)の下面において前後方向へ延在するリブ(86)により、前記操作部材(80)における軸杆部(82)の左右方向および上下方向への移動を規制して、該操作部材(80)は前後方向へのみスライド移動が許容され、
前記軸杆部(82)の外周面の上下対向部には、前端部から所要長に亘って平面状の切欠き(90)を形成し、該操作部材(80)を前方向へスライド移動した際に、該切欠き(90)に対応する形状に成形した前記挿通孔(78)の後方開口部に対し、切欠き(90)の後方端部を係止して抜止め保持するよう構成した
ことを特徴とするパチンコ遊技機の球抜き装置。
【請求項２】
パチンコ球を使用する遊技機(P)の前側で相当数のパチンコ球を収容して必要時に排出でき、球収容部(30)および球送出口(33)を含む形状に形成された皿本体(21)と、皿の外郭形状に形成され、両端を曲面状にした流線形状の外郭体(20)とを互いに着脱可能に組付けて構成した上球皿(E)の球出口部側に装備された球抜き装置にあって、
上方へ全面開口する開口部(132a)および前記球送出口(33)に対応して後壁に上方に開放して形成した開口(136)を有する本体部材(132)と、該本体部材(132)の開口部(132a)に整合し得る形状に成形されて該開口部(132a)を上方から全面的に覆蓋する蓋部材(133)とからなり、前記皿本体(21)と外郭体(20)との間における端部に形成した取着セット部(45)に対して着脱可能に取着されるケース体(131)と、
前記本体部材(132)に左右方向に対向配置されて前後方向に延在する一対の案内リブ(149,150)に対し、左右の側面が当接すると共に、前記蓋部材(133)の下面に形成した規制リブにより上方への移動を規制した状態で、前記ケース体(131)に対し前後方向に移動可能に組付けられ、前後方向への移動につれて、前記開口(136)を介して前記ケース体(131)から後方側へ突出した状態および該ケース体(131)に収納した状態となる舌片部(147)で前記球送出口(33)を開閉し得る開閉部材(145)と、
円筒状の支点部(156)と、該支点部(156)の外周面上端から水平外方へ延出した第１アーム部(157)と、支点部(156)の外周面上端から第１アーム部(157)と所要角度変位した水平外方へ延出した第２アーム部(158)と、該第２アーム部(158)の先端に形成した操作部(159)とを一体成形し、前記本体部材(132)の内底面に上方へ突出したボス状の支持部(135)に対し支点部(156)を外嵌することで、前記ケース体(131)に旋回動可能に保持された操作部材(155)と、
前記ケース体(131)の内部に設けられ、回路基板(92)に接続された検出素子(171)および前記開閉部材(145)の所定位置に付設されて検出素子(171)で検出される被検出素子(172)を有し、前記球送出口(33)に対する開閉部材(145)の半開きまたは全開の状態にある場合を、検出素子(171)と被検出素子(172)との検出対応位置関係により検出し得る位置検出手段(170)と、
前記蓋部材(133)に形成した設置部(166)に取付けられると共に、前記外郭体(20)のランプレンズ(104)を介して外部から視認可能とされ、前記位置検出手段(170)の回路基板(92)に電気的に接続されて、該位置検出手段(170)の検出信号に基づいて作動して、前記開閉部材(145)の前記開放範囲状態を報知し得る報知手段(176)とを備え、
前記第１アーム部(157)の先端下面に突出するよう一体形成されたピン(160)を、前記開閉部材(145)の上面に形成した係合孔(161)に対し分離可能に係合して、開閉部材(145)および操作部材(155)を連繋することで、該開閉部材(145)の舌片部(147)を前記球送出口(33)の開閉位置に臨ませると共に、前記操作部(159)を外郭体(20)に形成した操作口の後側に臨ませ、
前記開閉部材(145)および操作部材(159)の少なくとも一方に付勢手段(153)を付設して、該開閉部材(145)を閉鎖方向に付勢保持し、
前記操作部(159)のカバー板(162)は、前記支持部(135)を中心とする前記外郭体(20)の曲面に応じた所要の曲率半径で湾曲形成されている
ことを特徴とするパチンコ遊技機の球抜き装置。
【請求項３】
前記報知手段(100/176)は、前記位置検出手段(91/170)と電気的に接続される回路基板(125)内のタイマー回路(124)を介して電気的に接続される発光ランプ(102)で、位置検出手段(91/170)による前記開閉部材(60/145)の開放範囲状態の検出情報に対して、タイマー回路(124)の設定時限条件に基いて所定の報知作動が可能に設定された請求項１または２記載のパチンコ遊技機の球抜き装置。
【発明の詳細な説明】
【０００１】
【発明の属する技術分野】
この発明は、パチンコ遊技機の球抜き装置に関し、更に詳しくは、パチンコ球を使用する遊技機の前側で相当数のパチンコ球を収容して必要時に排出し得る球皿の球出口部側に装備された球抜き装置に関するものである。
【０００２】
【従来の技術】
この種の遊技機の代表例の一つである一般的なパチンコ機では、ゲーム開始操作に基づく打球発射装置と球送り装置との関連作動において、上球受け皿(上球皿)内の遊技球を１球ずつ機内の発射部位に送込み、これを遊技面内に打出してゲームを遂行し得るようになっている。そして、ゲーム中に発生したセーフ球に対する褒賞として、機裏側の機構セット盤に配設した賞球排出部から所定数のパチンコ球(賞球ともいう)が排出され、遊技者側に還元されるようになっている。このためパチンコ機は、パチンコ球の受入れおよび貯留に必要とされる球受け部材として、機体前面の中央において貯留,送出用として設置される前記上球皿と、下端部において貯留用として設置される下球受け皿(下球皿)とを備えている。そして、前記賞球排出部から排出された賞球については、機裏側の主排出路から上球皿へ優先的に通出されて遊技球として送出されたり貯留され、この上球皿の充満以後に溢れ出る余剰賞球は、主排出路から分岐連設された副排出路を介して下球皿へ排出されて貯留されるようになっている。
【０００３】
また、前述した上球皿および下球皿には、遊技者が適時必要に応じて指先で開放操作し得る球抜き装置が付設されている。例えば上球皿に付設される球抜き装置については、各メーカ毎のパチンコ機において設置部位や形式等に差異があっても、その基本的な形態としては、上球皿の外郭体に露出されている操作部材の操作に伴い開閉弁部材が開放変位されることにより、上球皿の下流端の球送出口と球抜き路が互いに開放連通されて、同上球皿の貯留球を下球皿側へ抜出し得るようになっている。また下球皿には、別の球抜き装置が配設されており、この球抜き装置における操作部材の操作に伴って開閉弁部材が開放変位することにより、皿部底面の球抜き口が開放されて、同下球皿側の貯留球および上球皿側からの球を抜出して、下方に用意される球受け箱に排出するよう構成されている。すなわち、遊技者が当該パチンコ機における遊技を終了するに際しては、先ず上球皿内に貯留されていたパチンコ球を、上球皿に配設された球抜き装置を利用して下球皿へ排出し、次いで下球皿に配設された球抜き装置を利用して機外へ抜出すようになっている。
【０００４】
【発明が解決しようとする課題】
ところで前記上球皿および下球皿では、夫々の球皿毎に概ね５００個前後のパチンコ球を貯留し得るようになっている。従って、全てのパチンコ球の球抜きには３０秒〜１分程度の時間を要するため、球抜きが完了するまでの間、遊技者は球抜き装置の操作部材を指先で操作状態に継続的に保持していなければならない。しかし、これを面倒で煩雑に感じる遊技者においては、マッチ棒や爪楊枝またはコイン等を利用して前記操作部材を球抜き位置に固定保持して、指先を使わずにパチンコ球を抜出してしまい、全てのパチンコ球の球抜きが終了すると、前記操作部材の固定保持を解除しないまま席を立つ場合が極めて多い。ところが従来の球抜き装置では、球送出口に対して前記開閉弁部材が半開きまたは全開の状態(球抜き状態)にある場合を検知して、これを報知する手段が具備されていなかった。このため、球抜き装置が球抜き状態に保持されている遊技機において、次の遊技者がこれに気付かずに遊技球を上球皿へ投入した際には、遊技球が下球皿側へそのまま排出されてしまう。すなわち、操作部材の通常位置への復帰操作と、下球皿へ排出された遊技球の上球皿への再投入作業とを強いられ、次の遊技者に極めて不愉快な思いをさせてしまう不都合があった。
【０００５】
【発明の目的】
本発明は、前述した課題を解決するべく新規に提案されたものであって、球抜き装置が球抜き状態にある場合を検知する検出手段と、これを知らせる報知手段とを備えて、遊技者に不愉快な思いをさせることを防止し得るようにしたパチンコ遊技機の球抜き装置を提供することを目的とする。
【０００６】
【課題を解決するための手段】
前述した課題を解決し、所期の目的を好適に達成するため、本発明に係るパチンコ遊技機の球抜き装置は、
パチンコ球を使用する遊技機の前側で相当数のパチンコ球を収容して必要時に排出でき、球収容部および球送出口を含む形状に形成された皿本体と、皿の外郭形状に形成された外郭体とを互いに着脱可能に組付けて構成した上球皿の球出口部側に装備された球抜き装置にあって、
上方へ全面開口する開口部および前記球送出口に対応して後壁に上方に開放して形成した開口を有する本体部材と、該本体部材の開口部に整合し得る形状に成形されて該開口部を上方から全面的に覆蓋する蓋部材とからなり、前記皿本体および外郭体の間に着脱可能に取着されるケース体と、
前記本体部材に前後方向に形成した案内リブに対し、下部に形成した案内溝を上方から嵌合すると共に、前記蓋部材の下面に形成した規制リブにより上方への移動が規制された状態で、前記ケース体に対し前後方向に移動可能に組付けられ、前後方向への移動につれて、前記開口を介して前記ケース体から後方側へ突出した状態および該ケース体に収納された状態となる舌片部で前記球送出口を開閉し得る開閉部材と、
前記開閉部材に一端を連繋すると共に、他端となる連繋片部の端面を円形曲面状に形成し、前記ケース体の内部に傾動可能に支持された作動部材と、
前記外郭体において奥壁を有する円形凹状に形成した挿通部に対し、該挿通部の内周面に外周面を略密着した状態で前方からセットされる押しボタン型の円形状の操作部および前端部を該外郭体の後方から挿通部の挿通孔を介して前記操作部に係着すると共に、後端部に形成した連繋溝を前記作動部材の連繋片部に着脱可能に連繋した軸杆部を有し、該外郭体の外側から指先操作し得る操作部材と、
前記ケース体の内部において前記開閉部材または作動部材あるいは操作部材に付設され、該開閉部材を球送出口の閉鎖方向に付勢保持するばねと、
前記ケース体の内部に設けられ、回路基板に接続された検出素子および前記開閉部材の所定位置に付設されて検出素子で検出される被検出素子を有し、前記球送出口に対する開閉部材の半開きまたは全開の状態にある場合を、検出素子と被検出素子との検出対応位置関係により検出し得る位置検出手段と、
前記蓋部材に形成した設置部に取付けられると共に、前記外郭体のランプレンズを介して外部から視認可能とされ、前記位置検出手段の回路基板に電気的に接続されて、該位置検出手段の検出信号に基づいて作動して、前記開閉部材の前記開放範囲状態を報知し得る報知手段とを備え、
前記ケース体の前壁に形成された挿入口の左右両側縁から後方へ平行に延在する案内壁、前記本体部材の底面において前後方向へ延在するリブおよび前記蓋部材の下面において前後方向へ延在するリブにより、前記操作部材における軸杆部の左右方向および上下方向への移動を規制して、該操作部材は前後方向へのみスライド移動が許容され、
前記軸杆部の外周面の上下対向部には、前端部から所要長に亘って平面状の切欠きを形成し、該操作部材を前方向へスライド移動した際に、該切欠きに対応する形状に成形した前記挿通孔の後方開口部に対し、切欠きの後方端部を係止して抜止め保持するよう構成したことを特徴とする。
また、前述した課題を解決し、所期の目的を好適に達成するため、本願の別の発明に係るパチンコ遊技機の球抜き装置は、
パチンコ球を使用する遊技機の前側で相当数のパチンコ球を収容して必要時に排出でき、球収容部および球送出口を含む形状に形成された皿本体と、皿の外郭形状に形成され、両端を曲面状にした流線形状の外郭体とを互いに着脱可能に組付けて構成した上球皿の球出口部側に装備された球抜き装置にあって、
上方へ全面開口する開口部および前記球送出口に対応して後壁に上方に開放して形成した開口を有する本体部材と、該本体部材の開口部に整合し得る形状に成形されて該開口部を上方から全面的に覆蓋する蓋部材とからなり、前記皿本体と外郭体との間における端部に形成した取着セット部に対して着脱可能に取着されるケース体と、
前記本体部材に左右方向に対向配置されて前後方向に延在する一対の案内リブに対し、左右の側面が当接すると共に、前記蓋部材の下面に形成した規制リブにより上方への移動を規制した状態で、前記ケース体に対し前後方向に移動可能に組付けられ、前後方向への移動につれて、前記開口を介して前記ケース体から後方側へ突出した状態および該ケース体に収納した状態となる舌片部で前記球送出口を開閉し得る開閉部材と、
円筒状の支点部と、該支点部の外周面上端から水平外方へ延出した第１アーム部と、支点部の外周面上端から第１アーム部と所要角度変位した水平外方へ延出した第２アーム部と、該第２アーム部の先端に形成した操作部とを一体成形し、前記本体部材の内底面に上方へ突出したボス状の支持部に対し支点部を外嵌することで、前記ケース体に旋回動可能に保持された操作部材と、
前記ケース体の内部に設けられ、回路基板に接続された検出素子および前記開閉部材の所定位置に付設されて検出素子で検出される被検出素子を有し、前記球送出口に対する開閉部材の半開きまたは全開の状態にある場合を、検出素子と被検出素子との検出対応位置関係により検出し得る位置検出手段と、
前記蓋部材に形成した設置部に取付けられると共に、前記外郭体のランプレンズを介して外部から視認可能とされ、前記位置検出手段の回路基板に電気的に接続されて、該位置検出手段の検出信号に基づいて作動して、前記開閉部材の前記開放範囲状態を報知し得る報知手段とを備え、
前記第１アーム部の先端下面に突出するよう一体形成されたピンを、前記開閉部材の上面に形成した係合孔に対し分離可能に係合して、開閉部材および操作部材を連繋することで、該開閉部材の舌片部を前記球送出口の開閉位置に臨ませると共に、前記操作部を外郭体に形成した操作口の後側に臨ませ、
前記開閉部材および操作部材の少なくとも一方に付勢手段を付設して、該開閉部材を閉鎖方向に付勢保持し、
前記操作部のカバー板は、前記支持部を中心とする前記外郭体の曲面に応じた所要の曲率半径で湾曲形成されていることを特徴とする。
【０００７】
【作用】
球抜き装置は、球皿の表面に臨んだ操作部材に対する非操作時には、該操作部材に連繋接続された開閉部材が球出口部を全閉状態に保持されるので球皿内のパチンコ球は排出されず、また検出手段が非検知状態になっている。そして、前記操作部材を操作して球抜き状態となった場合には、前記開閉部材が球出口部を全開状態にして球皿内のパチンコ球が排出され、またこれを検出手段が検知して報知手段が報知する。なお報知手段としては、ランプ等の光を発生する部品やブザー等の音を発生する部品が採用され、また回路基板内のタイマー回路を介するようにすれば、検出手段による検出情報に対して設定時間後に報知作動がなされるよう制御し得る。
【０００８】
【発明の実施の形態】
次に、本発明に係るパチンコ遊技機の球抜き装置につき、好適な実施例を挙げて、添付図面を参照しながら以下詳細に説明する。なお本実施例では、前枠の正面内部にパチンコ球用の遊技盤がセットされた一般的なパチンコ機の場合を主に示す。
【０００９】
本実施例のパチンコ機Ｐは、その基本的構成の概要として、図１に略示するように、外枠Ａの開口前面側に連結支持手段および施錠手段を利用して開閉および着脱が可能に組付けられる前枠Ｂの各部に、ガラス扉Ｄ付きの窓枠Ｃ、後述する上下の球受け皿Ｅ,Ｆおよび打球発射装置Ｇ等が装備されている一方、前枠Ｂの正面内部に所要の遊技盤Ｈが着脱交換可能にセットされており、そして前枠Ｂの裏側にアウト球、セーフ球、賞品球の各処理部を有する機構セット盤(図示せず)が着脱可能に装備されている。なお外枠Ａは、上下および左右の各枠部材１,２,３,４が互いに枠組み連設された形態のものを例とし、少なくとも右と下の枠部材３,４を合成樹脂成形製のものとして交換することにより、一般に「関東枠、関西枠」と呼称区分されているタイプのものに変更し得るようになっている。
【００１０】
(前枠について)
各種構成部材の搭載枠とされる前記前枠Ｂは、全体が合成樹脂成形されたものを例とし、基本的には図１に示すように、外枠Ａの開口前面域に適合する外形枠サイズに成形されて内側に正面縦長方形の窓枠口６を開口した枠体５と、この枠体５の裏側に一体成形されて窓枠口６よりやや狭い開口面域を成形した収容保持枠８とが前後に連設された内外二重枠形態とされている。そして前記枠体５においては、窓枠口６の内周囲に窓枠Ｃを設置し得るようになっており、この窓枠口６の下部に下球皿Ｆや打球発射装置Ｇ等を設置するための前盤部７が成形され、また窓枠口６の上縁部および右縁部に亘り電光装飾部９が設置されている。なお収容保持枠８においては、窓枠口６の下部内側に位置する遊技補助盤１０が一体成形され、この遊技補助盤１０には、賞品球用の排出口１１およびこぼれ球やファール球用の回収路１２等が成形されていると共に、同盤の前側に発射レール１３とスピーカ１４等を組込んだ回収ケース１５等がセットされている。
【００１１】
(上球皿について)
前枠Ｂの下部前側に装備される上球受け皿(単に上球皿ともいう)Ｅは、窓枠Ｃにおけるガラス扉Ｄの下方面域に合わせて開閉および着脱可能に組付けセットされている。この上球皿Ｅは、図２および図３に示すように基本的な構成として、合成樹脂成形された基本構成部材である箱枠状の外郭体２０と、同外郭体２０の開口内側に嵌合セットされる皿本体２１とをビス１９で組付け整合して、全体が下面を水平にし両端を曲面状にした流線形状にユニット化されており、この両者２０,２１の裏面に合わせて、補強装飾用の補助部材２２を前面に取着した薄肉金属成形製(または樹脂製)の開閉セット板２３がビス１８で取着されて単一化されている。そして外郭体２０および補助部材２２は、ともに同長に整合されて互いの右端部が開閉セット板２３の右端から延出しており、また開閉セット板２３は、窓枠Ｃの下部面域に整合する横長方形サイズにされて、各部に必要な口が成形されていると共に、その水平下端縁が外郭体２０における水平底板部２０ａの下底面に対して平行位置に整合されている(図４参照)。
【００１２】
そして、この上球皿Ｅの着脱開閉用の連結支持手段として、図１および図２に例示するように、前枠Ｂの前盤部７の左端部前面に固定された支持具１６の支軸１６ａに対して、開閉セット板２３の左端部前面に固定された受け具２４の軸筒部２５が軸孔２６を介して上下方向へ抜脱可能に嵌挿連結し得るようになっている。また施錠手段として、図１に示すように、窓枠Ｃの右中央内側に設置された施錠具１７の昇降施錠杆に対して、開閉セット板２３の右側裏面に取着された掛け具２７が係脱可能に係合できるようになっている。なお、前記受け具２４の軸筒部２５を含む前出部分は、外郭体２０および皿本体２１の左端部に成形された平面Ｕ字状の逃し口２８内に位置するようになっており(図２参照)、そして軸筒部２５と支軸１６ａとが適正な嵌合い公差を以って嵌挿される。
【００１３】
前記皿本体２１は、枠体部２９に成形された皿部として、球収容部３０と金属製のレール３１を敷設した整列送出部３２とが一連の勾配で成形されており、この送出部３２の下流端に開口された球送出口３３に対し、後述する球抜き装置４２が付設されるようになっている。一方前記補助部材２２は、開閉セット板２３の上縁に合わせて着脱交換可能に取着されており、その本体３４の左端部には前枠Ｂ側の賞球用排出口１１と皿本体２１の球収容部３０とを連絡する賞球給出用の連絡筒部３５が成形されている。また開閉セット板２３では、その上端縁に沿って成形された係合レール部３６が、前記ガラス扉Ｄの下縁と噛合状態で整合し得るようになっている。なお、前述の上球皿Ｅにおけるその余の構成として、外郭体２０における前記逃し口２８の底面周囲と水平底板部２０ａの右部下底面とに、夫々水平姿勢保持用の支持座３７が形成されている(図４参照)。
【００１４】
また補助部材２２では、一般的なパチンコ機Ｐの場合には標準タイプのものが、また球貸し型のパチンコ機Ｐの場合には、図１に示すように、球貸し操作部３８を備えた別種タイプのものが夫々選択使用される。これら２種タイプの何れの補助部材２２にあっても、球貸し操作部３８の有無を除いて基本的には同様に構成されて、開閉セット板２３に対して止め具(図示せず)を利用してビス着されている。そして前枠Ｂに対する上球皿Ｅの組付け状態において、補助部材２２の本体３４の右外端部が外郭体２０の右外端部と共に窓枠Ｃの右側下部を覆蓋し得るようになっている。
【００１５】
(球抜き部について)
前述した上球皿Ｅにおける球抜き部４０は、皿本体２１内のパチンコ球を下球皿Ｆへ直接的に抜出す形態のものであって、皿本体２１と外郭体２０との右側空間部内に組込まれている。すなわちこの球抜き部４０では、図１および図４に示すように、皿本体２１の枠体部２９裏側に成形されて前記球送出口３３と縦通した球抜き路４１と、枠体部２９前面に固定される球抜き装置４２とから構成されている。そして、球送出口３３の隣接部位に形成された取着セット部４５に、球抜き装置４２の後述する舌片部６２の挿通を許容するスリット口４３が形成されており、また球抜き路４１の開口下端に合わせて外郭体２０の水平底板部２０ａに出口４４が開口されている。なお前記出口４４は、下球皿Ｆに連通する球抜き通入部１１４の上端開口部１１４ａに整合するようになっている。
【００１６】
そこで次に、前述のように構成されたパチンコ機Ｐに実施される球抜き装置につき、好適な実施例を挙げて具体的に説明する。
【００１７】
【第１実施例】
図３〜図７は、第１実施例に係る球抜き装置４２を例示しており、この球抜き装置４２は、所要形状に成形されたケース体４６に組込んで前記球送出口３３を開閉し得る開閉部材６０と、同ケース体４６に組込んで該開閉部材６０に一端を連繋する作動部材７０と、前記ケース体４６の外方から嵌挿されて該作動部材７０に連繋される操作部材８０と、前記開閉部材６０の位置を検知する位置検出手段９１と、この位置検出手段９１による検出信号をもとに作動される報知手段１００とから構成され、操作部材８０の操作部８１を押圧操作するプッシュボタン形式となっている。そして、前記皿本体２１および外郭体２０との間において、前記開閉部材６０,作動部材７０,位置検出手段９１および報知手段１００を組込んだ前記ケース体４６を皿本体２１に形成した前記取着セット部４５に取付固定し、前記操作部材８０の押しボタン状の操作部８１を前記外郭体２０の前面右方に開設した挿通部７７に嵌挿支持させた状態で、前記皿本体２１と外郭体２０との間に着脱可能に取着されるようになっている。
【００１８】
(ケース体について)
前記ケース体４６は、上方へ全面開口する開口部４７ａを有する略矩形状の本体部材４７と、該本体部材４７の開口部４７ａに整合し得る形状に成形されて該開口部４７ａを上方から全面的に覆蓋する蓋部材４８とから形成されている。前記本体部材４７では、内部右側に前記開閉部材６０用の摺動室４９が画成され、内部左側に前記操作部材８０の軸杆部８２用の嵌挿部５０が画成されると共に、摺動室４９と嵌挿部５０との間に前記作動部材７０用の支持部５１が形成されている。そして、前記摺動室４９に整合する後壁に、開閉部材６０の舌片部６２の移動を許容し得る大きさの開口５２が形成され、また前記嵌挿部５０に整合する前壁に、軸杆部８２の挿通を許容する挿入口５３が形成されている。一方、本体部材４７の左前隅角部と右後隅角部には上方に開口したビス孔５４が形成され、また蓋部材４８の左前隅角部と右後隅角部には該ビス孔５４に整合する通孔５５が形成されており、本体部材４７と蓋部材４８とを整合セットした状態で各通孔５５に挿通したビス５６を各ビス孔５４に締付けることにより、中空体状のケース体４６が形成される。更に図４および図６に示すように、本体部材４７の下面後端部には、垂直下方へ延出した取付片５７が該本体部材４７に一体成形されると共に、蓋部材４８の上面後端部には、垂直上方へ延出した取付片５８が該蓋部材４８に一体成形されており、これら取付片５７,５８の凹部５７ａ,５８ａに整合させたビス５９を皿本体２１の枠体部２９に締付けることにより、ケース体４６全体が該皿本体２１の取着セット部４５に組付けられるようになっている。なお、本体部材４７の右壁内側に位置検出手段９１における回路基板９２用の設置部７６が形成され、また蓋部材４８の右端後方部に報知手段１００として実施される発光ランプ１０２用の円筒状の設置部７９が形成されている。
【００１９】
(開閉部材について)
前記開閉部材６０は、図７に示すように、断面が倒伏コ字状に形成された樋状の本体６１と、この本体６１の後端面から後方に略水平に延出する舌片部(開閉舌部)６２と、前記本体６１の右側面から右方に形成された係止案内部６３とが一体的に成形されている。この開閉部材６０は、前記本体部材４７に画成された摺動室４９に収納された状態において、該摺動室４９の左側に形成された案内リブ６４に対して本体６１の左側面が当接し、右側に形成された案内リブ６５に対して係止案内部６３に形成された案内溝６６が上方から嵌合しており、これら案内リブ６４,６５に沿って前後方向へのスライド移動のみが可能となっている。また、蓋部材４８の下面には規制リブ６９が形成されており、開閉部材６０は上方への移動が規制されている。そして、開閉部材６０が摺動室４９内の最も後方までスライド移動すると、前記舌片部６２がケース体４６の後方側へ突出した状態となり(図２または図３参照)、摺動室４９内の最も前方までスライド移動すると、前記舌片部６２がケース体４６内に収納した状態となる(図５参照)。なお、摺動室４９に面した前壁内側に、後方へ突出したボス６７が一体成形され、このボス６７と開閉部材６０の本体６１後壁との間にコイルばね６８が圧縮状態に配設されており、これにより開閉部材６０は、常に摺動室４９の後方側へ付勢されて前記舌片部６２をケース体４６の後方側へ延出させた状態に保持される。
【００２０】
(作動部材について)
前記作動部材７０は、上方へ突出したボス状の前記支持部５１に外嵌される円筒状の支点部７１と、この支点部７１の外周面上端から水平外方へ延出したアーム部７２と、前記支点部７１の外周面中央から該アーム部７２とは正反対(略１８０度)方向の水平外方へ延出した連繋片部７３とが一体成形され、前記支点部７１を支持部５１に対して上方から嵌合させることにより、該支持部５１を中心とした旋回動が可能となっている。そして、前記アーム部７２の先端下面には、垂直下方へ突出したピン７４が一体成形されており、前記開閉部材６０の係止案内部６３の上面に形成した係合孔７５に、前記ピン７４が上方から係合するようになっている。また前記連繋片部７３は、その先端部の端面が円形曲面状に形成され、操作部材８０の軸杆部８２の後端に形成された連繋溝８３に係合するようになっている。前記係合孔７５は、作動部材７０の旋回動に伴うピン７４の円弧動を許容するように、左右方向に長い長孔にしてある。なお、作動部材７０の上下方向へのがたつきを防止するために、支点部７１の上方から支持部５１に対してビスを締付けるようにしてもよい。
【００２１】
(操作部材について)
前記操作部材８０は、前記外郭体２０の所定位置に形成された円形凹状の挿通部７７に前方からセットされる押しボタン型の円形状の操作部８１と、外郭体２０の後方から前記挿通部７７の挿通孔７８を介して前記操作部８１に係着される前記軸杆部８２とから構成され、ケース体４６に直接的に取着されるようになっていない。すなわち軸杆部８２は、ケース体４６の前壁に形成された前記挿入口５３を介してその後端側が嵌挿部５０内へ挿入され、これにより後端部に形成された前記連繋溝８３と前記作動部材７０の連繋片部７３とが、好適に連繋されるよう構成されている。なお軸杆部８２は、図６に示すように、挿入口５３の左右両側縁から後方へ平行に延在する案内壁８４,８４と、嵌挿部５０の下面(本体部材４７の底面)において前後方向へ延在するリブ８５と、該嵌挿部５０の上面(蓋部材４８の下面)において前後方向へ延在するリブ８６とにより、左右方向および上下方向への移動が規制され、前後方向へのみスライド移動が許容される。また、操作部８１の外周面と挿通部７７の内周面とは、略密着した状態となっており、しかも挿通孔７８に向けて奥壁が形成されているので、この挿通部７７から針金等の極細異物を侵入させることは不可能である。
【００２２】
そして、軸杆部８２の前端部に係合溝部８７が形成され、また操作部８１の背面には、該軸杆部８２の前端部に外嵌される連結筒部８８と前記係合溝部８７に係合する係合突部８９が形成されており、係合溝部８７と係合突部８９との係合および連結筒部８８と軸杆部８２外周面との係合により、軸杆部８２と操作部８１とが容易な分離が不能に係着される。このように構成された操作部材８０は、前記外郭体２０に対して前後方向へスライド移動が可能に配設され、これにより操作部８１が挿通部７７に対して出没変位するようになっている。なお軸杆部８２の外周面の上下対向部には、前端部から所要長に亘って平面状の切欠き９０が形成されると共に、前記挿通孔７８はこの切欠き９０に対応した形状に成形されており、操作部材８０の前方向へのスライド移動した際には、挿通孔７８の後方開口部と切欠き９０の後方端部とが係止して、該操作部材８０が外郭体２０から脱抜することを防止し得るようになっている(図４参照)。
【００２３】
(位置検出手段について)
第１実施例の球抜き装置４２では、前記開閉部材６０のスライド移動位置に対応して、前記球送出口３３に対する半開状態または全開状態にある場合を電気的に検知する位置検出手段９１が具備されている。この位置検出手段９１は、例えば図５〜図８に示すような公知の磁気型リードスイッチが例とされ、前記本体部材４７に形成された設置部７６にビス等で取着される回路基板９２に接続された検出素子９３を備えたコンタクト部９４と、前記開閉部材６０の係止案内部６３に埋設して右側面に露出させた被検出素子９５を備えたマグネット部９６とから構成されている。そして前記コンタクト部９４における検出素子９３は、図９に示すように、開閉部材６０が摺動室４９内を前後にスライド移動するに際し、前記舌片部６２が球送出口３３に対する半開き状態と全開状態との範囲内に位置している場合に、前記被検出素子９５が近接してそれを検知し得る長さに設定されている。すなわち、舌片部６２により球送出口３３が全閉状態となっている場合(開閉部材６０が摺動室４９の後方側に位置している)は、被検出素子９５が検出素子９３から離間しているので該検出素子９３の接点が「開」となり、また舌片部６２により球送出口３３が半開き状態から全開状態の間に位置している場合(開閉部材６０が摺動室４９の中央と前方側の間に位置している)には、被検出素子９５が検出素子９３に近接して両素子９３,９５間に磁気回路が形成され、検出素子９３の接点が「閉」となる。
【００２４】
(報知手段について)
そして第１実施例の球抜き装置４２では、前記位置検出手段９１の回路基板９２とリード線１０１を介して電気的に接続されて、該位置検出手段９１の検出信号をもとに作動する報知手段１００を具備している。この報知手段１００は、例えば図５〜図８に示すような発光ランプ１０２が例とされ、蓋部材４８に形成された前記設置部７９に上方から嵌合セットされ、発光部を上方に指向させた状態に取付けられるようになっている。そして、前記位置検出手段９１における検出素子９３の接点が「閉」状態となった際に通電されて、発光制御されるようになっている。なお、上球皿Ｅにおける外郭体２０の上面において前記発光ランプ１０２が対応する位置には、図２および図６に示すように、開口１０３および該開口１０３に取着されるランプレンズ１０４が取着されており、球抜き装置４２の球抜き状態時に発光する該ランプ１０２を外部から視認し得るようになっている。また本体部材４７の右壁上縁には、前記リード線１０１用の挿通口４７ｂが形成されている。
【００２５】
(回路基板について)
このように第１実施例の球抜き装置４２では、リードスイッチ型の位置検出手段９１と発光ランプ１０２による報知手段１００とが具備され、これら位置検出手段９１と報知手段１００とは、前述したように、回路基板９２を介して接続されている。この回路基板９２には、例えば図１０に略示するように、前記位置検出手段９１に接続される入力回路１２１と、前記報知手段１００に接続される駆動回路１２２と、外部電源(ＡＣ２４Ｖ)１１９に接続されて前記入力回路１２１および駆動回路１２２に接続される電源回路１２０とを備えており、位置検出手段９１から出力される検出信号は、入力回路１２１を介して駆動回路１２２に伝達され、この駆動回路１２２の設定内容に従って報知手段１００の発光ランプ１０２が発光制御される。すなわち駆動回路１２２での設定内容により、発光ランプ１０２による発光表示は、連続点灯や適宜間隔での点滅等が可能となって表示機能の多様化および効果アップを図ることができる。なおリードスイッチを利用した位置検出手段９１では、図１１に略示するように、回路基板９２を介さずに発光ランプ１０２と検出素子９３とを直結することが可能であり、前記球送出口３３に対する半開状態または全開状態を単に連続的に点灯させるだけであれば、この形態も好適に実施し得る。
【００２６】
また前記位置検出手段９１と報知手段１００とは、図１２に略示するように、前記回路基板９２にタイマー回路１２４を追加した回路基板１２５を介して接続するようにしてもよい。この場合では、位置検出手段９１からの検出信号が入力回路１２１に出力され、この検出信号を受けた入力回路１２１はタイマー回路１２４へ信号を出力し、そしてタイマー回路１２４は、予め設定した時限条件に基いて設定時間後にタイムアップして駆動回路１２２へ信号を出力し、これに基いて報知手段１００の発光ランプ１０２が発光制御されるようになる。すなわち、タイマー回路１２４の時限条件を例えば「１分」に設定しておけば、球抜き装置４２の操作部８１を押圧して球抜き操作を開始した時点においては、前記発光ランプ１０２は発光制御されず、球抜き操作状態が１分間経過すると、発光ランプ１０２が発光制御されるようになる。従って、タイマー回路１２４の時限条件を、貯留球の球抜きを完全に行なうに要する時間以上に設定しておけば、正常な球抜き操作(指先を掛けた操作)を行なった場合には、前記発光ランプ１０２が発光制御されることはなく、球抜き状態を固定保持しかつそれを解除しなかった場合にのみ発光ランプ１０２を発光制御させ得るようになる。
【００２７】
(球抜き装置の取付け)
前述のように構成された第１実施例の球抜き装置４２では、前記開閉部材６０,コイルばね６８,作動部材７０および位置検出手段９１の各部材を内部に収納セットすると共に、報知手段１００の発光ランプ１０２を取着してユニット化されたケース体４６が、前述したように、前記開閉部材６０の舌片部６２がスリット口４３を介して球送出口３３に整合した状態で、皿本体２１における枠体部２９の取着セット部４５にビス５９で固定される。一方操作部材８０は、操作部８１を外郭体２０の挿通部７７の前側からセットすると共に、軸杆部８２を外郭体２０の挿通孔７８を介して後側からセットし、両者８１,８２を係着して該外郭体２０に対してスライド移動可能でかつ脱抜不能に配設される。そして、ケース体４６を取付けた皿本体２１と、操作部材８０を配設した外郭体２０とを組付けることにより、操作部材８０の軸杆部８２がケース体４６の嵌挿部５０へ挿通され、前記連繋溝８３と連繋片部７３とが好適に係合されると共に、発光ランプ１０２がランプレンズ１０４の内部下方に整合位置する。
【００２８】
(球抜き装置の作動態様について)
前記皿本体２１と外郭体２０との間に組付けられた実施例の球抜き装置４２は、前記操作部８１に対する非押圧状態においては、前記コイルばね６８の伸び方向への付勢弾力のもとに、開閉部材６０が摺動室４９内を後方側へ移動し、舌片部６２がスリット口４３を介して球送出口３３へ延出するので、該球送出口３３は閉鎖状態に保持されて貯留球の球抜きがなされない(図３参照)。なおこの状態では、作動部材７０が図の反時計方向へ旋回するので、操作部材８０は前方側へ押出され、操作部８４が挿通部７７の前方部に位置するようになる。また位置検出手段９１においては、検出素子９３に対して被検出素子９５が離間しているので、前記発光ランプ１０２は消灯制御される。一方、前記操作部８１を指先で後方側へ押圧すると、操作部材８０の軸杆部８２が後方へ移動することに伴って作動部材７０が時計方向へ旋回するので、開閉部材６０がコイルばね６８の付勢弾力に抗して摺動室４９内を前方側へ移動し、舌片部６２が球送出口３３から退避するので、該球送出口３３の開放に伴って貯留球の球抜きが行なわれる。また位置検出手段９１においては、検出素子９３に対して被検出素子９５が近接位置するので、該検出素子９３が「閉」となることに伴い前記発光ランプ１０２が適宜発光制御される。
【００２９】
(球送り装置について)
そして、前述のように構成された上球受け皿Ｅの開閉セット板２３裏面に、球送り装置１０６がセットされている(図２および図３参照)。この球送り装置１０６は、打球発射装置Ｇ側の打球作動とタイミングを合わせて球送り作動を行ない得る電動制御形態のものであって、全体がカセット形式に構成・取扱い得るようになっている。そして開閉セット板２３の裏面において、ケース１０７の送通路(図示せず)の入口を上球皿Ｅの前記球送出口３３に合わせてビス止めセットされ、この送通路の出口を前記発射レール１３の基部側に臨ませている。
【００３０】
(下球皿について)
前記前枠Ｂの下段前側に装備される前記下球受け皿(単に下球皿ともいう)Ｆは、本来の賞品球貯留機能の他に、前記上球皿Ｅの載置保持機能をも奏し得るものとして、前盤部７の前面において上球皿Ｅの下面と整合する条件で設置されている。この下球皿Ｆは、図１に示すように基本的な構成として、合成樹脂成形された基本構成部材である箱枠状の外郭保護体１１０と、同保護体１１０の開口内側に嵌合セットされる皿本体１１１と、両者１１０,１１１の開口裏面に当接セットされる横長方形のセット板(図示せず)を組付け整合してユニット化されている。また、セット板と外郭保護体１１０との間には、前記上球皿Ｅに形成した球抜き路４１の出口４４と、下球皿Ｆにおける皿本体１１１の貯留皿部１１３とを連通する前記球抜き通入部１１４が配設され、前述したように、該球抜き通入部１１４の上端開口部１１４ａが前記出口４４に整合している。従って、前記球抜き装置４２における球抜き操作により球送出口３３から通出された上球皿Ｅの貯留球は、球抜き路４１および球抜き通入部１１４を介して下球皿Ｅの貯留皿部１１３に通出されるよう構成されている。
【００３１】
前記下球皿Ｅに対するその余の構成として、前記外郭保護体１１０の水平上板部１１０ａの上面内側に沿って係合レール部１１２が成形され、上球皿Ｅにおける開閉セット板２３の下端縁と噛合状態で整合し得るようになっている(図４参照)。そして打球発射装置Ｇにおける球球操作部１１５が、図３に示すように、外郭保護体１１０の右側斜状部において、平面外向きでかつ側面後下りの所要角度の斜状に設置されて、遊技者が長く楽に疲れず把持操作できるようになっている。また皿本体１１１における貯留皿部１１３の底部には、該貯留皿部１１３内の賞品球を抜出すための球抜き部１１６が設置され、該貯留皿部１１３の左方に灰皿１１７が設置されている。更に外郭保護体１１０における左側部には、パチンコ機におけるゲーム制御用、電気部材や電気制御機器に対するリセット用、あるいは遊技者による異常連絡用等に適宜選択して用いられるスイッチ操作部１１８が設置されている。
【００３２】
【第１実施例の作用】
前述のように構成された本実施例のパチンコ機Ｐは、外枠Ａに対する前枠Ｂに、ガラス扉Ｄ付きの窓枠Ｃ、遊技盤Ｈ、機構セット盤の他に、前述した上下の球皿Ｅ,Ｆおよび打球発射装置Ｇ等が装備・セットされて１台単位に構成される。そしてゲームホール内の設置枠台に所定の傾き起立姿勢で設置された外枠Ａに、前枠Ｂ全体が組付けられることにより、在来のパチンコ機と同様な縦型弾球遊技機として遊技に供し得る。このもとで通常の打球発射操作を行なうことにより、上球皿Ｅ内の遊技球を球送り装置１０６により１球ずつ発射レール１３に送込み、打球発射装置Ｇの駆動に従動する打球杆で打出して、遊技盤Ｈ内で所要のパチンコゲームを展開し得る。そして、このゲーム中に発生したセーフ球に対して機構セット盤の賞球排出装置から払出された賞品球が、排出口１１および連絡筒部３５を介して上球皿Ｅ側へ優先的に排出されて球収容部３０内に収容され、また上球皿Ｅ側の充満以後には下球皿Ｆ側へ排出されて貯留皿部１１３内に貯留される。
【００３３】
そしてこのようなパチンコ機にあって、前記球抜き装置４２の組立ておよび上球皿Ｅに対する組付けに関しては、ケース体４６の本体部材４７において、摺動室４９内にコイルばね６８および開閉部材６０をセットすると共に、ピン７４を開閉部材６０の係合孔７５に係合させた作動部材７０を支持部５１に配設する。また位置検出手段９１においては、検出素子９３を配設した回路基板９２(１２５)を本体部材４７の設置部７６にビス着すると共に、被検出素子９５を開閉部材６０の係止案内部６３に埋設する。そして、本体部材４７に蓋部材４８をセットしてビス５６を締付けることにより、ユニット化されたケース体４６が形成される。一方、前記回路基板９２(１２５)にリード線１０１を介して電気的に接続された発光ランプ１０２を、蓋部材４８の設置部７９に嵌合セットする。このように組立てられたケース体４６は、後方に延出している舌片部６２を、皿本体２１における枠体部２９の所定位置に形成したスリット口４３に整合させた状態に位置決めし、ビス５９を利用して該枠体部２９の取着セット部４５に組付固定する。一方操作部材８０は、操作部８１を外郭体２０の挿通部７７の前側からセットすると共に、軸杆部８２を外郭体２０の挿通孔７８を介して後側からセットして両者８１,８２を係着することで、外郭体２０に対してスライド移動可能でかつ脱抜不能に配設する。このように実施例の球抜き装置４２は、操作部材８０とケース体４６との２点から構成され、その構成の簡素化が図られる。
【００３４】
そして、前記球抜き装置４２のケース体４６を組付固定した皿本体２１と、該装置４２の操作部材８０を配設した外郭体２０は、同外郭体２０の開口内側に皿本体２１を嵌合セットしてビス１９を締付けることにより流線形状に一体化される。なお、両者２０,２１の組付けに際して、前記操作部材８０の軸杆部８２が、前記ケース体４６の嵌挿部５０へ挿通され、連繋溝８３と連繋片部７３とが係合されるので、操作部材８０,作動部材７０,開閉部材６０が好適に連繋される。また前記発光ランプ１０２が、外郭体２０のランプレンズ１０４の内部下方に整合位置する。次いで、皿本体２１の裏面に合わせて、補強装飾用の補助部材２２を前面に取着した前記開閉セット板２３を、ビス１８を利用して取着することにより、単一ユニット化された上球皿Ｅが形成される。このように、前記第１実施例の球抜き装置４２の構成の簡素化に伴い、上球皿Ｅ全体を極めて楽に組立て、製作することが可能となる。しかも、操作部材８０と作動部材７０とは、連繋溝８３と連繋片部７３との係合のみで連繋されるので、組付不良等が発生することもない。
【００３５】
前述のように組立てられた上球皿Ｅの前枠Ｂに対する組付けは、前記下球皿Ｆを前盤部７の前面に水平姿勢に固定セットした後において、該前枠Ｂに設置された窓枠Ｃのガラス扉Ｄを開放したもとで簡単に行ない得る。すなわち、上球皿Ｅの左端部をガラス扉Ｄと干渉しない所要の向きにしたまま、下球皿Ｆの上方に露出している前記支持具１６の支軸１６ａを、開閉セット板２３の受け具２４における軸筒部２５の軸孔２６に差込むことにより、上球皿Ｅはガタ付きの少ない条件で連結支持され、また窓枠Ｃ側の施錠具１７の昇降施錠杆に、開閉セット板２３の掛け具２７を係合して施錠される。そしてこの組付け状態において上球皿Ｅは、下球皿Ｆの水平上板部１１０ａ上に支持座３７を当接した水平姿勢で安定良く載置セットされる。これにより皿本体２１の皿部に係る球流れ勾配を設定通りに維持して良好な球流れを図り得、また球送り装置１０６を、発射レール１３の発射位置や打球発射装置Ｇにおける打球杆の打球点位置に対して適正な位置,姿勢に保持して的確な球送りを図ることができる。
【００３６】
そしてこのような上球皿Ｅでは、その開閉について、前記ガラス扉Ｄを開放すると共に前述の施錠具１７を解錠したもとで、下球皿Ｆの水平上板部１１０ａを載置台面として利用しながら、支持具１６と受け具２４の連結支点に基いて水平保持したまま円滑に開閉し得る。また着脱にあたっては、上球皿Ｅをガラス扉Ｄと干渉しない向きにしたもとで、前述の支持具１６と受け具２４との着脱を利用して簡単に組外し・組付けができるので、上球皿Ｅの新旧交換等に際しては、未熟練者でも手早く容易に、楽な姿勢で簡単に着脱することができる。しかもこの上球皿Ｅのセット状態においては、開閉セット板２３の係合レール部３６がガラス扉Ｄの下縁と噛合状態で整合すると共に、外郭体２０および補助部材２２の両右外端部が窓枠Ｃの右下部を覆蓋し、また下球皿Ｆ側の係合レール部１１２が開閉セット板２３の下端縁と噛合状態で整合するので、針金や帯状片等の異物を遊技盤Ｈ内に侵入させようとする不正行為を積極的に防止することができる。
【００３７】
そして、前述のように装備されて実施される上球皿Ｅにおいては、簡単な球抜き操作により貯留球および賞品球を速やかに下球皿Ｆ側へ抜出し得る。すなわち、前記球抜き装置４２における操作部８１を指先で押圧することにより、閉鎖位置の舌片部６２が開放変位されて球送出口３３と球抜き路４１とが連絡保持される。これにより皿本体２１内、更には連絡筒部３５および排出口１１内に亘り収容されている全ての貯留球および賞品球を、球送出口３３から球抜き路４１へ速やかに流通させ得、そのまま下球皿Ｆの球抜き通入部１１４内へ通入させて、最終的には下球皿Ｆの貯留皿部１１３に抜出し得る。なお下球皿Ｆでは、球抜き部１１６を開放操作することにより、貯留皿部１１３内に貯留されている全ての賞品球を皿外へ抜出すことができる。
【００３８】
前記球抜き装置４２による球抜き操作時には、開閉部材６０の前方へのスライド移動に伴い、位置検出手段９１における検出素子９３が「閉」状態となるので、検出信号が回路基板９２(１２５)の入力回路１２１に出力される。例えば、前記回路基板９２を装着した球抜き装置４２においては、球抜き操作の開始と同時に前記発光ランプ１０２が点灯または点滅制御され、これがランプレンズ１０４を介して外部から視認され、当該パチンコ機Ｐにおける球抜き装置４２が球抜き状態にあることが報知される。従って当該パチンコ機Ｐでの遊技者が、前記操作部８１を何らかの方法で押圧状態に固定保持しながら球抜き操作を行なったとしても、該遊技者がパチンコ機から立ち去る際には、発光ランプ１０２の発光状態が目に入り、球抜き状態の解除操作を促すことができる。また万一、先の遊技者が球抜き装置４２を球抜き状態に固定保持したまま当該パチンコ機Ｐから立ち去ったとしても、次の遊技者は発光ランプ１０２の発光状態を目視することにより、当該パチンコ機Ｐの球抜き装置４２が球抜き状態にあることを容易に確認し得、上球皿Ｅへの遊技球の投入に先立って球抜き状態を解除することができる。
【００３９】
また前記回路基板１２５を装着した球抜き装置４２においては、球抜き操作の開始時には前記発光ランプ１０２が発光制御されず、また球抜き終了時に球抜き操作が正常に解除された場合には、タイマー回路１２４がタイムアップしないので、該発光ランプ１０２は発光制御されることはない。しかし、先の遊技者が球抜き装置４２を球抜き状態に固定保持したまま当該パチンコ機Ｐから立ち去った場合には、タイマー回路１２４が設定時間経過後にタイムアップし、これにより前記発光ランプ１０２が点灯または点滅制御されるので、これがランプレンズ１０４を介して外部から視認され、当該パチンコ機Ｐにおける球抜き装置４２が球抜き状態にあることが報知される。従って次の遊技者は、発光ランプ１０２の発光状態を目視することにより、当該パチンコ機Ｐの球抜き装置４２が球抜き状態にあることを容易に確認し得、上球皿Ｅへの遊技球の投入に先立って球抜き状態を解除することができる。
【００４０】
このように、第１実施例に係る球抜き装置４２を装備したパチンコ機Ｐでは、先の遊技者が球抜き状態に固定保持したまま当該パチンコ機Ｐから立ち去ったとしても、次の遊技者は発光ランプ１０２の発光状態を目視することができるので、当該パチンコ機Ｐの球抜き装置４２が球抜き状態に固定保持されていることを容易に確認し得、上球皿Ｅへの遊技球の投入に先立って球抜き状態を解除することができる。従って次の遊技者が、球抜き装置４２が球抜き状態に保持されていることに気付かずに遊技球を上球皿Ｅへ投入することがなくなり、次の遊技者に不愉快な思いをさせてしまう不都合が好適に回避される。
【００４１】
また実施例では、報知手段１００として発光ランプ１０２を例示したが、この他に、ブザーやスピーカ等の音を発生する装置であってもよい。この場合には、前記回路基板９２,１２５に実施される駆動回路１２２は、実施する対応の装置を好適に制御するものとされる。
【００４２】
一方、前記第１実施例の球抜き装置４２における操作部材８０に関しては、外郭体２０の前側から挿通部７７にセットする操作部８１と、該外郭体２０の裏側から挿通孔７８を介して該操作部８１に係着する軸杆部８２とから構成される分割形態のものを例示したが、この操作部８１と軸杆部８２とを一体成形して、外郭体２０の前方から挿通部７７に配設セットする形態のものであってもよい。但しこの一体形態においては、挿通部７７にセットした操作部材８０の抜止めを図るために、挿通孔７８から後方へ延出した軸杆部８２の所定位置に、例えばスナップリング等を取着することが好ましい。
【００４３】
また、前記第１実施例における球抜き装置４２では、開閉部材６０に直接的に付勢力を付加するコイルばね６８により、該開閉部材６０を球送出口３３の閉鎖方向へ付勢するよう構成したが、この開閉部材６０に対する付勢形態はこれに限定されるものではない。すなわち、前記作動部材７０の支点部７１に外装されると共にアーム部７２または連繋片部７３の何れかに係止されるねじりばねを取付け、該作動部材７０を反時計方向へ回動付勢するようにしても、ピン７４と係合孔７５の連繋下に、前記開閉部材６０は球送出口３３の閉鎖方向へ付勢される。この他に、前記操作部材８０にコイルばね等の付勢力が作用するよう構成して、作動部材７０を介して開閉部材６０を球送出口３３の閉鎖方向へ付勢するようにしてもよい。
【００４４】
更に第１実施例では、球送出口３３から抜出された貯留球を、前枠Ｂの前面側に形成した球抜き路４１および球抜き通入部１１４を介して下球皿Ｆ側へ直接的に抜出す形態の上球皿Ｅに、プッシュボタン形式の球抜き装置４２を組付けたものを例示したが、この球抜き装置４２は、このような形態の上球皿に限らず、例えば貯留球を前枠Ｂの背面側に一旦排出した後に賞球の副排出路を介して下球皿に抜出す裏側排出形態の上球皿にも好適に実施し得る。
【００４５】
【第２実施例】
図１３は、前記上球皿Ｅの球抜き部４０に付設される第２実施例に係る球抜き装置を、分解状態で示した概略斜視図である。この第２実施例の球抜き装置１３０は、所要形状に成形されたケース体１３１に、前記皿本体２１の球送出口３３を開閉し得る舌片部１４７を有する開閉部材１４５と、指先操作のための操作部１５９を有する操作部材１５５と、前記開閉部材１４５の位置を検知する位置検出手段１７０と、この位置検知手段１７０による検出信号をもとに作動される報知手段１７６と、を組込んだスライドレバー形式として構成され、該ケース体１３１単位のユニット部材として取扱い得るようになっている。そして、皿本体２１に形成された前記取着セット部４５に着脱可能に取付固定することにより、前記操作部材１５５の操作部１５９を外郭体２０の表面側に形成した操作口に臨ませた状態で、前記皿本体２１と外郭体２０との間に組込まれるようになっている。そこで次に、第２実施例に係る球抜き装置１３０の各構成部材につき詳細に説明する。なお、パチンコ機Ｐの外枠Ａ,前枠Ｂ,窓枠Ｃ,ガラス扉Ｄ,上球皿Ｅおよび下球皿Ｆ等は、基本的に前記第１実施例と同一であるから、これら各部材の具体的な説明は省略する。
【００４６】
(ケース体について)
前記ケース体１３１は、上方へ全面開口する開口部１３２ａを有する略矩形状の本体部材１３２と、該本体部材１３２の開口部１３２ａに整合し得る形状に成形されて該開口部１３２ａを上方から全面的に覆蓋する蓋部材１３３とから構成されている。前記本体部材１３２では、内部右側に前記開閉部材１４５用の摺動室１３４が画成され、内部左側の左後隅角部に操作部材１５５用の支持部１３５が形成されている。そして、前記摺動室１３４に整合する後壁に、開閉部材１４５の舌片部１４７の移動を許容し得る大きさの開口１３６が形成され、また前壁の上縁中央に、操作部材１５５の第２アーム部１５８の旋回移動を許容するスリット口１３７が形成されている。また、本体部材１３２の左前隅角部と右後隅角部には上方に開口したビス孔１３８が夫々形成され、また蓋部材１３３の左前隅角部と右後隅角部には各ビス孔１３８に整合する通孔１３９が夫々形成されており、本体部材１３２と蓋部材１３３とを整合セットした状態で各通孔１３９に挿通したビス(図示せず)をビス孔１３８に締付けることにより、中空体状のケース体１３１が形成される。更に本体部材１３２の下面後端部には、垂直下方へ延出した取付片１４１が該本体部材１３２に一体成形されると共に、蓋部材１３３の上面後端部には、垂直上方へ延出した取付片１４２が該蓋部材１３３に一体成形されており、これら取付片１４１,１４２およびビスを利用して、ケース体１３１全体が、該枠体部２９の取着セット部４５に組付けられるようになっている。なお前記各取付片１４１,１４２の背面には、位置決め用のボス１４４が形成されている。また、本体部材１３２の右壁内側に位置検出手段１７０における回路基板９２(１２５)用の設置部１６５が形成され、また蓋部材１３３の右端後方部に報知手段１７６として実施される発光ランプ１０２用の円筒状の設置部１６６が形成されている。
【００４７】
(開閉部材について)
前記開閉部材１４５は、図７に示すように、断面が倒伏コ字状に形成された樋状の本体１４６と、この本体１４６の後端面から後方へ略水平に延出する舌片部１４７と、前記本体１４６の右側面から右方に形成された係止片部１４８とが一体的に成形されている。この開閉部材１４５は、前記摺動室１３４に収納された状態において、該摺動室１３４の左側に形成された案内リブ１４９に対して本体１４６の左側面が当接し、右側に形成された案内リブ１５０に対して該本体１４６の右側面下端部が当接しており、これら案内リブ１４９,１５０に沿って前後方向へのスライド移動のみが可能となっている。また、蓋部材１３３の下面には規制リブ(図示せず)が形成されており、開閉部材１４５は上方への移動が規制されている。そして、開閉部材１４５が摺動室１３４内の最も後方までスライド移動すると、前記舌片部１４７がケース体１３１の後方側へ突出した状態となり、摺動室１３４内の最も前方までスライド移動すると、前記舌片部１４７がケース体１３１内に収納した状態となる。なお、摺動室１３４に面した前壁内側に、後方へ突出したボス１５２が一体成形され、このボス１５２と開閉部材１４５の本体１４６後壁との間にコイルばね(付勢手段)１５３が圧縮状態に配設されており、これにより開閉部材１４５は、常に摺動室１３４の後方側へ付勢されて前記舌片部１４７をケース体１３１の後方側へ延出させた状態に保持される。
【００４８】
(操作部材について)
前記操作部材１５５は、上方へ突出したボス状の前記支持部１３５に外嵌される円筒状の支点部１５６と、この支点部１５６の外周面上端から水平右外方へ延出した第１アーム部１５７と、前記支点部１５６の外周面上端から第１アーム部１５７と所要角度(約８０度)変位した水平前外方へ延出した第２アーム部１５８と、この第２アーム部１５８先端の操作部１５９とが一体成形され、前記支点部１５６を支持部１３５に対して上方から嵌合させることにより、該支持部１３５を中心とした旋回動が可能となっている。そして、前記第１アーム部１５７の先端下面には、垂直下方へ突出したピン１６０が一体成形されており、前記開閉部材１４５の係止片部１４８の上面に形成した係合孔１６１に、前記ピン１６０が上方から係合するようになっている。また第２アーム部１５８は、その略中央部で水平方向へ屈曲形成され、前記スリット口１３７を介してケース体１３１の外方へ延出するようになっている。前記係合孔１６１は、操作部材１５５の旋回動に伴うピン１６０の円弧動を許容するように、左右方向に所定長さの長孔となっている。なお、操作部材１５５の上下方向へのがたつきを防止するために、支点部１５６の上方から支持部１３５に対してビスを締付けるようにしてもよい。
【００４９】
前記操作部材１５５の操作部１５９は、前記第２アーム部１５８の先端において、前記支持部１３５を中心とした所要の曲率半径で湾曲形成されたカバー板１６２と、このカバー板１６２の左右中央に前方へ突設された指掛片１６３とが、該第２アーム部１５８と一体成形されている。この操作部１５９は、ユニット化された球抜き装置１３０を取付固定した皿本体２１と前記外郭体２０とを組付けた際に、該外郭体２０の前面右方に形成した横長矩形状の操作口(図示せず)の後側に臨むように構成されている。そしてカバー板１６２は、操作部材１５５を旋回変位させても常に前記操作口を全面的に覆蓋するようになっており、しかも前述のような曲率半径に形成されていることにより、常に該操作口の開口端縁部に略密着した状態を保持されて隙間が画成されないようになっている。また指掛片１６３は、球抜き操作時に指先がフィットし易い曲面状に形成されている。
【００５０】
(位置検出手段について)
第２実施例の球抜き装置１３０では、前記開閉部材１４５のスライド移動位置に対応して、前記球送出口３３に対して舌片部１４７が、半開状態または全開状態にある場合を電気的に検知する位置検出手段１７０が具備されている。この位置検出手段１７０は、例えば図１４に示すような公知のフォトスイッチが例とされ、前記本体部材１３２に形成された設置部１６５にビス等で取着される回路基板９２に接続配置した検出素子１７１と、前記開閉部材１４５の係止片部１４８に一体成形されて遮光面(または反射面)１７２ａを有する被検出素子１７２とから構成されている。この被検出素子１７２は、開閉部材１４５が摺動室１３４内を前後にスライド移動するに際し、前記舌片部１４７が球送出口３３に対する半開き状態と全開状態との範囲内に位置している場合に、検出素子１７１の凹部に臨んで遮光(または反射)し得る長さに設定されている。すなわち、舌片部１４７により球送出口３３が全閉状態となっている場合(開閉部材１４５の摺動室１３４の後方側に位置している)は、被検出素子１７２は検出素子１７１から離間して該検出素子１７１を遮光(または反射)しないようになっている。
【００５１】
(報知手段について)
そして第２実施例の球抜き装置１３０では、前記位置検出手段１７０の回路基板９２とリード線１７５を介して電気的に接続されて、該位置検出手段１７０の検出信号をもとに作動する報知手段１７６を具備している。この報知手段１７６は、例えば前記第１実施例と同様に発光ランプ１０２が例とされ、蓋部材１３３に形成された前記設置部１６６に上方から嵌合セットされ、発光部を上方に指向させた状態に取付けられるようになっている。そして、前記位置検出手段１７０における検出素子１７１が遮光(または反射)された際に通電されて、発光制御されるようになっている。なお、上球皿Ｅにおける外郭体２０の上面において前記発光ランプ１０２が対応する位置には、前記第１実施例で示したように、開口１０３および該開口１０３に取着されるランプレンズ１０４が取着されており、球抜き装置１３０の球抜き状態時に発光する該ランプ１０２を外部から視認し得るようになっている。また本体部材１３２の右壁上縁には、前記リード線１７５用の挿通口１３２ｂが形成されている。
【００５２】
(回路基板について)
このように第２実施例の球抜き装置１３０では、フォトスイッチ型の位置検出手段１７０と発光ランプ１０２による報知手段１７６とが具備され、これら位置検出手段１７０と報知手段１７６とは、前述したように、回路基板９２を介して接続されている。この回路基板９２は、前述すると共に図１０に略示するように、前記位置検出手段１７０に接続される入力回路１２１と、前記報知手段１７６に接続される駆動回路１２２と、外部電源(ＡＣ２４Ｖ)１１９に接続されて前記入力回路１２１および駆動回路１２２に接続される電源回路１２０とが備えられており、位置検出手段１７０から出力される検出信号は、入力回路１２１を介して駆動回路１２２に伝達され、この駆動回路１２２の設定内容に従って報知手段１７６の発光ランプ１０２が発光制御される。すなわち駆動回路１２２での設定内容により、発光ランプ１０２による発光表示は、連続点灯や適宜間隔での点滅等が可能となって表示機能の多様化および効果アップを図ることができる。
【００５３】
また前記位置検出手段１７０と報知手段１７６とは、図１２に略示するように、タイマー回路１２４を具備した前記回路基板１２５を介して接続するようにしてもよい。この場合では、位置検出手段１７０からの検出信号が入力回路１２１に出力され、この検出信号を受けた入力回路１２１はタイマー回路１２４へ信号を出力し、そしてタイマー回路１２４は、予め設定した時限条件に基いて設定時間後にタイムアップして駆動回路１２２へ信号を出力し、これに基いて報知手段１７６の発光ランプ１０２が発光制御されるようになる。従って、タイマー回路１２４の時限条件を、貯留球の球抜きを完全に行なうに要する時間以上に設定しておけば、正常な球抜き操作(指先を掛けた操作)を行なった場合には、前記発光ランプ１０２が発光制御されることはなく、球抜き状態を固定保持しかつそれを解除しなかった場合にのみ発光ランプ１０２を発光制御させ得るようになる。
【００５４】
(球抜き装置の取付け)
前述のように構成された第２実施例の球抜き装置１３０では、前記開閉部材１４５,コイルばね１５３および操作部材１５５,位置検出手段１７０および報知手段１７６を組付けセットしてユニット化されたケース体１３１が、前述したように、前記開閉部材１４５の舌片部１４７がスリット口４３を介して球送出口３３に整合した状態で、皿本体２１における取着セット部４５にビス１４３で固定される。そして、球抜き装置１３０を取付けた皿本体２１と外郭体２０とを組付けることにより、操作部材１５５の操作部１５９が外郭体２０に形成した操作口に臨んだ状態となる。
【００５５】
【第２実施例の作用】
第２実施例の球抜き装置１３０を装備して実施される上球皿Ｅにおいては、簡単な球抜き操作により貯留球および賞品球を速やかに下球皿Ｆ側へ抜出し得る。すなわち、前記球抜き装置１３０における操作部１５９を、指掛片１６３を利用して左方へスライドさせることにより、閉鎖位置の舌片部１４７が開放変位されて球送出口３３と球抜き路４１とが連絡保持される。これにより皿本体２１内、更には連絡筒部３５および排出口１１内に亘り収容されている全ての貯留球および賞品球を、球送出口３３から球抜き路４１へ速やかに流通させ得、そのまま下球皿Ｆの球抜き通入部１１４内へ通入させて、最終的には下球皿Ｆの球留皿部１１３に抜出し得る。なお下球皿Ｆでは、球抜き部１１６を開放操作することにより、球留皿部１１３内に貯留されている全ての賞品球を皿外へ抜出すことができる。
【００５６】
前記球抜き装置１３０による球抜き操作時には、開閉部材１４５の前方へのスライド移動に伴い、位置検出手段１７０における検出素子１７１が遮光(または反射)された状態となるので、検出信号が回路基板９２(１２５)の入力回路１２１に出力される。例えば、前記回路基板９２を装着した球抜き装置１３０においては、球抜き操作の開始と同時に前記発光ランプ１０２が点灯または点滅制御され、これがランプレンズ１０４を介して外部から視認され、当該パチンコ機Ｐにおける球抜き装置１３０が球抜き状態にあることが報知される。従って当該パチンコ機Ｐでの遊技者が、前記操作部１５９を何らかの方法でスライド状態に固定保持しながら球抜き操作を行なったとしても、該遊技者がパチンコ機から立ち去る際には、発光ランプ１０２の発光状態が目に入り、球抜き状態の解除操作を促すことができる。また万一、先の遊技者が球抜き装置１３０を球抜き状態に固定保持したまま当該パチンコ機Ｐから立ち去ったとしても、次の遊技者は発光ランプ１０２の発光状態を目視することにより、当該パチンコ機Ｐの球抜き装置１３０が球抜き状態にあることを容易に確認し得、上球皿Ｅへの遊技球の投入に先立って球抜き状態を解除することができる。
【００５７】
また前記回路基板１２５を装着した球抜き装置１３０においては、球抜き操作の開始時には前記発光ランプ１０２が発光制御されず、また球抜き終了時に球抜き操作が正常に解除された場合には、タイマー回路１２４がタイムアップしないので、該発光ランプ１０２は発光制御されることはない。しかし、先の遊技者が球抜き装置１３０を球抜き状態に固定保持したまま当該パチンコ機Ｐから立ち去った場合には、タイマー回路１２４が設定時間経過後にタイムアップし、これにより前記発光ランプ１０２が点灯または点滅制御されるので、これがランプレンズ１０４を介して外部から視認され、当該パチンコ機Ｐにおける球抜き装置１３０が球抜き状態にあることが報知される。従って次の遊技者は、発光ランプ１０２の発光状態を目視することにより、当該パチンコ機Ｐの球抜き装置１３０が球抜き状態にあることを容易に確認し得、上球皿Ｅへの遊技球の投入に先立って球抜き状態を解除することができる。
【００５８】
このように、第２実施例に係る球抜き装置１３０を装備したパチンコ機Ｐにおいても、前記第１実施例に係る球抜き装置４２と同様に、先の遊技者が球抜き装置１３０を球抜き状態に固定保持したまま当該パチンコ機Ｐから立ち去ったとしても、次の遊技者は発光ランプ１０２の発光状態を目視することができるので、当該パチンコ機Ｐの球抜き装置１３０が球抜き状態にあることを容易に確認し得、上球皿Ｅへの遊技球の投入に先立って球抜き状態を解除することができる。従って次の遊技者が、球抜き装置１３０が球抜き状態に固定保持されていることに気付かずに遊技球を上球皿Ｅへ投入することがなくなり、次の遊技者に不愉快な思いをさせてしまう不都合が好適に回避される。
【００５９】
なお第２実施例の球抜き装置１３０においても、報知手段１７６としては、前記発光ランプ１０２の他に、ブザーやスピーカ等の音を発生する装置であってもよい。
【００６０】
また、第２実施例における球抜き装置１３０では、開閉部材１４５に直接的に付勢力を付加するコイルばね１５３により、該開閉部材１４５を球送出口３３の閉鎖方向へ付勢するよう構成したが、この開閉部材１４５に対する付勢形態はこれに限定されるものではない。すなわち、前記操作部材１５５の支点部１５６に外装されると共に第１アーム部１５７または第２アーム部１５８の何れかに係止されるねじりばねを取付け、該操作部材１５５を反時計方向へ回動付勢するようにしても、ピン１６０および係合孔１６１の連繋下に、前記開閉部材１４５は球送出口３３の閉鎖方向へ付勢される。更に、第１アーム部１５７と本体部材１３２の壁面とに間に、コイルばねを架設するよう構成してもよい。
【００６１】
そして第２実施例では、球送出口３３から抜出された貯留球を、前枠Ｂの前面側に形成した球抜き路４１および球抜き通入部１１４を介して下球皿Ｆ側へ直接的に抜出す形態の上球皿Ｅに、スライドレバー形式の球抜き装置１３０を組付けたものを例示したが、この球抜き装置１３０は、このような形態の上球皿に限らず、例えば貯留球を前枠Ｂの背面側に一旦排出した後に賞球の副排出路を介して下球皿に抜出す裏側排出形態の上球皿にも好適に実施し得る。
【００６２】
更に第２実施例の球抜き装置１３０は、ケース体１３１単位で取扱われ、皿本体２１に対する着脱を容易に行ない得るので、例えば当該パチンコ機の廃棄に際しては、上球皿Ｅから取外して他のパチンコ機へ再利用することができる。従って、上球皿Ｅ全体を楽にかつ安価に製作し得る。
【００６３】
更にまた、第２実施例の球抜き装置１３０は、皿本体２１の枠体部２９に形成した取着セット部４５に取付固定するよう構成したが、外郭体２０の背面側に取着セット部を形成して、この外郭体２０に球抜き装置１３０を取付固定するようにしてもよい。
【００６４】
なお、前述した各実施例では、本願発明の球抜き装置を上球皿に採用した場合につき説明したが、本願はこれに限定されるものでなく、下球皿に採用することもできる。
【００６５】
【発明の効果】
以上説明した如く、本発明に係るパチンコ遊技機の球抜き装置によれば、球皿に組付けられる球抜き装置に、該球皿の球出口部分が半開き状態または全開状態にあることを検知する位置検出手段と、この位置検出手段による検知に基いて作動する報知手段とを具備したことにより、当該球抜き装置の球抜き状態を外部に報知することができる。従って先の遊技者が、球抜き装置を球抜き状態に固定保持したまま当該遊技機から立ち去ったとしても、次の遊技者は、報知手段による表示によって球抜き装置が球抜き状態に保持されていることを、遊技前に目視して確認することができる利点がある。これにより、球抜き装置が球抜き状態に固定保持されていることを気付かずに遊技球を球皿へ投入することがなくなり、次の遊技者に不愉快な思いをさせてしまう不都合が好適に回避される。また報知手段としては、電気的に接続される光または音を発生する部品が実施されるので、球抜き装置の球抜き状態を効果的に表示することが可能である。また、位置検出手段と報知手段とをタイマー回路を介して電気的に接続するよう構成すれば、球抜き装置の球抜き状態が所定時間以上に亘って継続的に保持された場合にのみ該報知手段を作動させることが可能となる。
【図面の簡単な説明】
【図１】本発明の実施例に係るパチンコ機全体を略示する正面図である。
【図２】実施例の上球皿の各構成部材を分解した状態で示す平面図である。
【図３】第１実施例に係る球抜き装置を組付けた上球皿の要部横断平面図である。
【図４】第１実施例に係る球抜き装置の組付位置で破断した上球皿の縦断側面図である。
【図５】上球皿に組付けた第１実施例に係る球抜き装置を一部破断して示す横断平面図である。
【図６】第１実施例に係る球抜き装置を所定位置で破断した縦断正面図である。
【図７】第１実施例に係る球抜き装置の各構成部材を分解状態で示す概略斜視図である。
【図８】第１実施例に係る球抜き装置に具備される位置検出手段および報知手段を示す平面図である。
【図９】位置検出手段における検出素子および被検出素子を示す説明図である。
【図１０】位置検出手段と報知手段を駆動回路等を備えた回路基板を介して接続した形態例を示すブロック図である。
【図１１】位置検出手段と報知手段を直結した接続形態例を示すブロック図である。
【図１２】位置検出手段と報知手段をタイマー回路および駆動回路等を備えた回路基板を介して接続した形態例を示すブロック図である。
【図１３】第２実施例に係る球抜き装置を、各構成部材を分解した状態で示す概略斜視図である。
【図１４】第２実施例に係る球抜き装置に具備される位置検出手段および報知手段を、一部破断した状態で示す正面図である。
【符号の説明】
３３ 球送出口
６０,１４５ 開閉部材
８０,１５５ 操作部材
９１,１７０ 位置検出手段
９２,１２５ 回路基板
９３,１７１ 検出素子
９５,１７２ 被検出素子
１００,１７６ 報知手段
１２４ タイマー回路
Ｅ 上球皿
Ｐ パチンコ機(遊技機)
２０ 外郭体
２１ 皿本体
３０ 球収容部
４５ 取着セット部
４６,１３１ ケース体
４７,１３２ 本体部材
４７ａ,１３２ａ 開口部
４８,１３３ 蓋部材
５２,１３６ 開口
５３ 挿入口
６２,１４７ 舌片部
６５ 案内リブ
６６ 案内溝
６８ ばね
６９ 規制リブ
７０ 作動部材
７３ 連繋片部
７７ 挿通部
７８ 挿通孔
７９,１６６ 設置部
８１ 操作部
８２ 軸杆部
８３ 連繋溝
８４ 案内壁
８５ リブ
８６ リブ
９０ 切欠き
１０４ ランプレンズ
１４９,１５０ 案内リブ
１３５ 支持部
１５３ 付勢手段
１５６ 支点部
１５７ 第１アーム部
１５８ 第２アーム部
１５９ 操作部
１６０ ピン
１６１ 係合孔
１６２ カバー板
【図１】
0004026033.tif 000002
【図２】
0004026033.tif 000003
【図３】
0004026033.tif 000004
【図４】
0004026033.tif 000005
【図５】
0004026033.tif 000006
【図６】
0004026033.tif 000007
【図７】
0004026033.tif 000008
【図８】
0004026033.tif 000009
【図９】
0004026033.tif 000010
【図１０】
0004026033.tif 000011
【図１１】
0004026033.tif 000012
【図１２】
0004026033.tif 000013
【図１３】
0004026033.tif 000014
【図１４】
0004026033.tif 000015